(57)【要約】      （修正有）【課題】気管切開孔に向かい合わされる対向部を他者の視線から隠す喉エプロンを提供する。【解決手段】喉エプロン１は、気管切開孔を有する患者の首に掛けられる帯部１０と、帯部１０に取り付けられて気管切開孔に対向する対向部２０とを備える。喉エプロン１は更に、気管切開孔から離れた側で対向部２０を被覆する被覆部４０を備える。被覆部４０は、装飾布で形成され、施されたギャザー４６を介して帯部１０に連結される。対向部２０は、被覆部４０に比べて吸液性が高い吸液布ＣＡで形成され、帯部１０から垂下方向ＤＶに離れた側で自由状態とされた自由端２１を有し、帯部１０と自由端２１との間の縦間隔ＧＬを維持する間隔維持部材２５を有する。【選択図】図１
0003193730.tif 000002
【実用新案登録請求の範囲】
【請求項１】
気管切開孔を有する患者の首に掛けられる帯部と、前記帯部に取り付けられて前記気管切開孔に対向する対向部とを備える喉エプロンであって、
前記気管切開孔から離れた側で前記対向部を被覆する被覆部を備え、
前記被覆部は、装飾布で形成され、施されたギャザーを介して前記帯部に連結され、
前記対向部は、前記被覆部に比べて吸液性が高い吸液布で形成され、前記帯部から垂下方向に離れた側で自由状態とされた自由端を有し、前記帯部と前記自由端との間の縦間隔を維持する間隔維持部材を有する
ことを特徴とする喉エプロン。
【請求項２】
請求項１に記載の喉エプロンであって、
前記吸液布は、ほぼ四辺形のタオル地であり、四辺の内の一辺が帯側端として前記帯部に向き合っている。
【請求項３】
請求項２に記載の喉エプロンであって、
前記間隔維持部材は、前記帯部から前記自由端までの間に取り付けられている。
【請求項４】
請求項３に記載の喉エプロンであって、
前記間隔維持部材は、前記対向部において、前記垂下方向と交差する横方向の左端部と右端部とに配置されている。
【請求項５】
請求項４に記載の喉エプロンであって、
前記対向部は、前記左端部および前記右端部のそれぞれに沿って前記吸液布を折り返して形成された２つの折り返しポケット部を有し、前記間隔維持部材は、前記折り返しポケット部のそれぞれに挿入されている。
【請求項６】
請求項５に記載の喉エプロンであって、
前記折り返しポケット部は、前記被覆部と向き合う側に配置されている。
【請求項７】
請求項４に記載の喉エプロンであって、
前記対向部は、前記吸液布が２枚重ねられて前記左端部と前記右端部に沿ってそれぞれ形成された２つの重ねポケット部を有し、前記間隔維持部材は、前記重ねポケット部のそれぞれに挿入されている。
【請求項８】
請求項３から請求項７までのいずれか一つに記載の喉エプロンであって、
前記間隔維持部材は、前記吸液布の変形を抑制する硬さの合成樹脂フィルムである。
【請求項９】
請求項３に記載の喉エプロン１であって、
前記間隔維持部材は、前記吸液布と同等の布を二つ折りして前記垂下方向における前記対向部の下半部に向い合せて配置されている。
【請求項１０】
請求項２に記載の喉エプロンであって、
前記間隔維持部材は、前記自由端に接続された接続部と、前記接続部から延びる延長部を有する。
【請求項１１】
請求項１０に記載の喉エプロンであって、
前記接続部および前記延長部は、単一物として連続している。
【請求項１２】
請求項１０または請求項１１に記載の喉エプロンであって、
前記２つの延長部はそれぞれ、前記患者の胴体の周囲で互いに結合される長さを有する。
【請求項１３】
請求項１０または請求項１１に記載の喉エプロンであって、
前記２つの延長部は、それぞれの先端に前記患者の着衣に係合する係合部を有する。
【考案の詳細な説明】
【技術分野】
【０００１】
本考案は、気管切開による手術で喉に気管切開口を形成された患者の気管切開口から漏出する体液を吸収する喉エプロンに関する。
【背景技術】
【０００２】
喉（咽頭、喉頭）に係る病気の場合、患者を治療するために喉頭を除去することがある。このとき、呼吸のために首の気管側に穴をあけて気管切開孔を形成することがある。気管切開孔は、鼻、あるいは口を介しての呼吸と異なることから、痰が発生しやすく、また、多くの体液を漏出することがある。
特に気管切開孔が永久的に形成された永久気管孔は、痰等の体液が漏出しやすくなる。また、鼻や口で補われていた湿度が不足することから乾燥を防止する必要が生じる。更に、永久気管孔から水、ごみが直接肺に入る恐れがある。
したがって、手術直後の直接的な看護が必要な場合は勿論、手術後の安定期（例えば退院後の日常生活）においても多くの症状に対応するため、日常生活での継続的なケアが必要となる。永久気管孔に対する日常のケア用品として、永久気管孔を覆う喉エプロンがある。なお、本出願では気管切開孔、永久気管孔等をまとめて単に気管切開孔と記載する。
【０００３】
図１５は、従来の喉エプロンの例を示す説明図である。
従来の喉エプロン１０１は、気管切開孔を有する患者の首に掛けられる帯部１１０と、帯部１１０に取り付けられて気管切開孔に対向する対向部１２０とを備える。対向部１２０は、複数枚のガーゼが重ねられ、平面視でほぼ矩形状である。対向部１２０は、一辺に帯部１１０が取り付けられている。帯部１１０は、患者の首の後ろ側で結ばれる。したがって、喉エプロン１０１（対向部１２０）は、気管切開孔に向き合って位置決めされる。
対向部１２０のガーゼは、体液に対する吸収作用、痰に対する吸着作用、ごみに対するフィルター作用を有する。したがって、喉エプロン１０１（対向部１２０）は、気管切開孔から漏出する体液あるいは痰を吸収し、また、乾燥した空気が肺に入ることを抑制し、肺へのごみの侵入を抑制する。
なお、喉エプロン１０１の代わりに気管切開孔の近くに回収容器を取り付けることが提案されている（特許文献１、特許文献２参照）。
【先行技術文献】
【特許文献】
【０００４】
【特許文献１】実用新案登録第３１２３３９３号公報
【特許文献２】特開２００７−３１９４７３号公報
【考案の概要】
【考案が解決しようとする課題】
【０００５】
しかしながら、喉エプロン１０１は、対向部１２０が露出した状態である。したがって、他者の視線を避けることは難しい。つまり、他者は、露出されたガーゼ（対向部１２０）に視線が向くようになる。このため、患者は、他者の視線を感じる。
患者は、喉エプロン１０１を隠すとき、対向部１２０を着衣の内側に配置し、着衣を対向部１２０の前側で合わせる。対向部１２０は、着衣によって隠されるが、患者は、首回りの自由度が抑制される。
上記したとおり、喉エプロン１０１において、対向部１２０はガーゼが露出することから、患者および他者の両者は、共にストレスを生じる。
【０００６】
本考案は、従来の喉エプロンにおける他者が対向部を視認できるという課題を解決することを目的とする。つまり、本考案は、気管切開孔に向かい合わされる対向部を他者の視線から隠す喉エプロンを提供することを目的とする。
【課題を解決するための手段】
【０００７】
本考案は、気管切開孔を有する患者の首に掛けられる帯部と、前記帯部に取り付けられて前記気管切開孔に対向する対向部とを備える喉エプロンであって、前記気管切開孔から離れた側で前記対向部を被覆する被覆部を備え、前記被覆部は、装飾布で形成され、施されたギャザーを介して前記帯部に連結され、前記対向部は、前記被覆部に比べて吸液性が高い吸液布で形成され、前記帯部から垂下方向に離れた側で自由状態とされた自由端を有し、前記帯部と前記自由端との間の縦間隔を維持する間隔維持部材を有することを特徴とする。
本考案は、前記喉エプロンであって、前記吸液布は、ほぼ四辺  形のタオル地であり、四辺の内の一辺が帯側端として前記帯部に向き合っている。
【０００８】
本考案は、前記喉エプロンであって、前記間隔維持部材は、前記帯部から前記自由端までの間に取り付けられている。
本考案は、前記喉エプロンであって、前記間隔維持部材は、前記対向部において、前記垂下方向と交差する横方向の左端部と右端部とに配置されている。
本考案は、前記喉エプロンであって、前記対向部は、前記左端部および前記右端部のそれぞれに沿って前記吸液布を折り返して形成された２つの折り返しポケット部を有し、前記間隔維持部材は、前記折り返しポケット部のそれぞれに挿入されている。
本考案は、前記喉エプロンであって、前記折り返しポケット部は、前記被覆部と向き合う側に配置されている。
【０００９】
本考案は、前記喉エプロンであって、前記対向部は、前記吸液布が２枚重ねられて前記左端部と前記右端部に沿ってそれぞれ形成された２つの重ねポケット部を有し、前記間隔維持部材は、前記重ねポケット部のそれぞれに挿入されている。
本考案は、前記喉エプロンであって、前記間隔維持部材は、前記吸液布の変形を抑制する硬さの合成樹脂フィルムである。
本考案は、前記喉エプロンであって、前記間隔維持部材は、前記吸液布と同等の布を二つ折りして前記垂下方向における前記対向部の下半部に向い合せて配置されている。
【００１０】
本考案は、前記喉エプロンであって、前記間隔維持部材は、前記自由端に接続された接続部と、前記接続部から延びる延長部を有する。
本考案は、前記喉エプロンであって、前記接続部および前記延長部は、単一物として連続している。
本考案は、前記喉エプロンであって、前記２つの延長部はそれぞれ、前記患者の胴体の周囲で互いに結合される長さを有する。
本考案は、前記喉エプロンであって、前記２つの延長部は、それぞれの先端に前記患者の着衣に係合する係合部を有する。
【考案の効果】
【００１１】
本考案に係る喉エプロンは、確実に対向部を隠す。したがって、対向部が外側へ露出することはなく、他者は、対向部を直接見ることがない。このため、患者（着用者）は、喉エプロンを着用した場合でも他者の視線から受けるストレスを回避できる。
【図面の簡単な説明】
【００１２】
【図１】本考案の実施の形態１に係る喉エプロンの正面図である。
【図２】図１に示した喉エプロンの背面図である。
【図３】図１に示した喉エプロンを患者の首に着用した状態を示す説明図である。
【図４】図２に示した喉エプロンから対向部を取り外した状態を示す背面図である。
【図５】図４で取り外した対向部を拡大して帯部の側から見た状態を示す拡大図である。
【図６】本考案の実施の形態２に係る喉エプロンに装着される対向部を拡大して帯部の側から見た状態を示す拡大図である。
【図７】本考案の実施の形態３に係る喉エプロンに装着される対向部を拡大して帯部の側から見た状態を示す拡大図であり、（Ａ）は正面図、（Ｂ）は右側面図である。
【図８】本考案の実施の形態４に係る喉エプロンに装着される対向部を拡大して帯部の側から見た状態を示す拡大図であり、（Ａ）は正面図、（Ｂ）は右側面図である。
【図９】本考案の実施の形態５に係る喉エプロンの正面図である。
【図１０】図９に示した喉エプロンの背面図である。
【図１１】図１０に示した喉エプロンを患者の首に着用した背中の状態を示す説明図である。
【図１２】本考案の実施の形態６に係る喉エプロンの正面図である。
【図１３】図１２に示した喉エプロンの背面図である。
【図１４】図１３に示した喉エプロンを患者の首に着用した背中の状態を示す説明図である。
【図１５】従来の喉エプロンの例を説明する説明図である。
【考案を実施するための形態】
【００１３】
以下、本考案に係る喉エプロンについて、図面を参照して説明する。
[実施の形態１]
図１から図５までを参照して、本考案の実施の形態１に係る喉エプロン１について説明する。
図１は、本考案の実施の形態１に係る喉エプロン１の正面図である。
図２は、図１に示した喉エプロン１の背面図である。
図３は、図１に示した喉エプロン１を患者ＰＴの首ＮＫに着用した状態を示す説明図である。
【００１４】
図１から図３までに示すとおり、喉エプロン１は、気管切開孔ＴＣを有する患者ＰＴの首ＮＫに掛けられる帯部１０と、帯部１０に取り付けられて気管切開孔ＴＣに対向する対向部２０とを備える。喉エプロン１は更に、気管切開孔ＴＣから離れた側で対向部２０を被覆する被覆部４０を備える。
被覆部４０は、装飾布で形成され、施されたギャザー４６を介して帯部１０に連結される。対向部２０は、被覆部４０に比べて吸液性が高い吸液布ＣＡで形成され、帯部１０から垂下方向ＤＶに離れた側で自由状態とされた自由端２１を有し、帯部１０と自由端２１との間の縦間隔ＧＬを維持する間隔維持部材２５を有する。
【００１５】
喉エプロン１は、気管切開孔ＴＣから離れた側で対向部２０を被覆する被覆部４０を備えるので、確実に対向部２０を隠す。したがって、対向部２０が外側へ露出することはなく、他者は、対向部２０を直接見ることがない。このため、患者ＰＴ（着用者）は、喉エプロン１を着用した場合でも他者の視線から受けるストレスを回避しやすい。
また、対向部２０が有する間隔維持部材２５は、縦間隔ＧＬを維持するので、自由端２１が帯部１０に向けてずり上がることを抑制する。したがって、対向部２０（吸液布ＣＡ）は、気管切開孔ＴＣに適切に対向して気管切開孔ＴＣから漏出する体液を効果的に吸収する。
【００１６】
被覆部４０は、布を縫い寄せて形成したギャザー４６を介して帯部１０に連結される。このため、被覆部４０は、ギャザー４６から延長するひだ４７を有し、滑らかな立体感を生じる。被覆部４０に生じたひだ４７は、喉エプロン１の使用中に患者ＰＴの首ＮＫから胸元ＢＳにかけて流線型の立体形状となるので、患者ＰＴの首回りのファッション性を向上させる。
【００１７】
自由端２１の自由状態とは、自由端２１が帯部１０および被覆部４０に連結されず、帯部１０および被覆部４０によって拘束されない状態を示す。被覆部４０は、ファッション性を向上させるため、模様を施された装飾布で形成される。被覆部４０（装飾布）の一端を寄せて施されたギャザー４６は、帯部１０に縫い込まれている。
帯部１０は、首ＮＫの側と外側との間に被覆部４０を挟み込む形態とされる。したがって、表面からはギャザー４６の露出部分と、ギャザー４６から延長するひだ４７が認識される。
被覆部４０は、装飾布で形成され、対向部２０は、吸液布ＣＡで形成されている。このため、被覆部４０は、着衣ＷＲの内側へ自由に移される。したがって、被覆部４０を移動させて対向部２０を気管切開孔ＴＣの側へ更に寄せることができる。
【００１８】
対向部２０は、被覆部４０に比べて吸液性が高い吸液布ＣＡで形成されるので、気管切開孔ＴＣから漏出する体液は、被覆部４０より患者側に配置された対向部２０に吸収される。
喉エプロン１は、患者ＰＴにとって使い勝手が良く、おしゃれ感を満たしやすい。なお、喉エプロン１を必要とする患者は、成人が多い。このため、喉エプロン１におけるファッション性は、成人のおしゃれ感を満たす上で重要な要因となる。また、喉エプロン１は、気管切開孔ＴＣに対する他者の視線を抑制する。
【００１９】
吸液布ＣＡは、ほぼ四辺形のタオル地であり、四辺の内の一辺が帯側端２２として帯部１０に向き合っている。
吸液布ＣＡは、四辺形の広い面積を有するので、気管切開孔ＴＣに対して容易に位置合わせされる。また、吸液布ＣＡは、タオル地であるから、体液を容易に吸収しやすい。吸液布ＣＡは、帯側端２２が帯部１０に向き合っているので、気管切開孔ＴＣに対して正確に対向しやすい。
タオル地は、肌触りあるいは吸液性などの観点から、シャーリング地（ベロア調）等が適用される。具体的には、シャーリング地で形成された乳幼児用のミニハンカチ等が好ましい。
【００２０】
対向部２０の面形状を規定する四辺形は、角部に丸みが施されている。つまり、対向部２０（吸液布ＣＡ）は、正確な四辺形ではなく、角部に丸みを有する疑似四辺形（ほぼ四辺形）である。帯部１０に向き合う帯側端２２から最も離れた一辺が自由端２１となる。対向部２０は、帯部１０の内側（首ＮＫを向く側）に配置される。
対向部２０は、帯部１０の内側（首ＮＫに向く側）に取付け部材５０を介して取り付けられる。したがって、喉エプロン１は、体液で汚れた対向部２０を容易に取り替えることができる。また、対向部２０は、被覆部４０とは別に洗浄できる。つまり、被覆部４０に比べて汚れやすい対向部２０は、洗浄が容易になる。このため、喉エプロン１は、清浄な状態を容易に確保することができ、使用時における患者ＰＴの不快感を抑制することができる。
【００２１】
取付け部材５０は、帯側端２２が帯部１０に固定される位置に配置される。取付け部材５０は、帯部１０の内側に配置される。つまり、取付け部材５０は、帯部１０の首ＮＫに向かい合う面と、対向部２０の帯部１０に向かい合う面とにそれぞれ配置される。取付け部材５０の詳細は、図４、図５で更に説明される。
対向部２０は、幼児用ミニハンカチ（タオル地）が好ましい。乳幼児用のミニハンカチの大きさは、例えば１５ｃｍ角（角は丸みを有する）である。幼児用ミニハンカチは、一般的に４辺の縁取りがされており、長期の使用、多数回の洗濯に耐える。また、幼児用ミニハンカチは、角部が丸く縁取りされている。幼児用ミニハンカチは、綿（オーガニックコットン）等で形成され吸水性に優れている。
【００２２】
被覆部４０は、対向部２０に比べて薄手である。したがって、被覆部４０は、対向部２０よりも軽く柔らかくなる。つまり、被覆部４０は、患者ＰＴの首ＮＫから胸元ＢＳまでの間で、着衣ＷＲに沿う自然な状態で着衣ＷＲを覆うことができる。
また、患者ＰＴは、首ＮＫから胸元ＢＳまでの間で、着衣ＷＲの内外のいずれへも被覆部４０を容易に位置させることができる。このため、喉エプロン１は、患者ＰＴのファッション感および使用感を満たす。
被覆部４０が配置される帯部１０のギャーザー範囲ＷＧは、対向部２０を隠せれば良いので、例えば２０ｃｍから３０ｃｍ程度である。ギャザー４６は、被覆部４０となる二等辺三角形などの布の底辺を寄せて帯部１０に縫い込むことにより形成されている。垂下方向ＤＶにおける被覆部４０の長さは、２５ｃｍから３５ｃｍ程度である。
【００２３】
帯部１０は、両端を連結して首ＮＫに掛ける部材としての固定部１７、固定部１８を有する。固定部１７、固定部１８は、帯部１０の互いに異なる面に配置される。固定部１７、固定部１８は、例えば面ファスナーである。固定部１７および固定部１８は、首ＮＫの後ろ側で相互に対向して留められる。
固定部１７および固定部１８のいずれか一方は、他方より帯部１０の長さ方向で長くされている。これにより、長さ方向の広い範囲での位置決めが容易となり、首ＮＫの大きさに応じた長さでの連結を確保できる。
帯部１０の長さは、例えば４５ｃｍ（４０ｃｍ〜５０ｃｍ）程度、帯部１０の幅は、例えば２．５ｃｍ程度、帯部１０の厚みは、例えば２ｍｍ程度である。固定部１７の長さは、例えば５ｃｍから６ｃｍ程度、固定部１８の長さは、例えば２ｃｍから３ｃｍ程度である。
【００２４】
間隔維持部材２５は、帯部１０から自由端２１までの間に取り付けられている。間隔維持部材２５は、帯部１０から自由端２１までの間に取付けられているので、自由端２１の帯部１０に向かう移動を確実かつ容易に抑制しやすい。また、間隔維持部材２５は、対向部２０の領域内に取付けられるので、安定的に取り付けられる。
間隔維持部材２５は、対向部２０において、垂下方向ＤＶと交差する横方向ＤＨの左端部２３と右端部２４とに配置されている。間隔維持部材２５は、対向部２０の左端部２３および右端部２４に配置されているので、対向部２０の全体にわたって縦間隔ＧＬを確保しやすい。
【００２５】
なお、対向部２０の左端部２３、右端部２４は、被覆部４０の側から見た状態で左右を規定されている（図１）。左右の規定は相対的であり、逆に規定されても良い。左端部２３、右端部２４は、四辺形の吸液布ＣＡにおいて自由端２１と帯側端２２とを結ぶ辺である。
間隔維持部材２５は、帯部１０から自由端２１までにわたって配置されている。このため、自由端２１の帯側端２２への移動を確実に抑制する。
変形例として、間隔維持部材２５は、横方向ＤＨにおいて、中央部に一か所配置されても良い。この場合には、間隔維持部材２５は、左端部２３および右端部２４の二か所に配置する場合に比較して幅広であることが好ましい。
【００２６】
図４は、図２に示した喉エプロンから対向部を取り外した状態を示す背面図である。
図５は、図４で取り外した対向部を拡大して帯部（被覆部４０）の側から見た状態を示す拡大図である。
図４および図５に示すとおり、帯部１０は、取付け部材５０として第１取付け部材５１を有し、対向部２０は、取付け部材５０として第２取付け部材５２を有する。
【００２７】
第１取付け部材５１および第２取付け部材５２は、例えば、一対のスナップボタンである。第１取付け部材５１は、中央に凹部を有し、第２取付け部材５２は、中央に凸部を有する。第１取付け部材５１の凹部に第２取付け部材５２の凸部が嵌め込まれて、帯部１０に対向部２０が取り付けられる。
したがって、取付け部材５０は、帯部１０に対する対向部２０の取付けおよび取り外しを容易にする。これにより、喉エプロン１は、使用時の利便性が向上する。また、対向部２０は、洗浄が容易になる。
対向部２０の洗浄は、例えば、１０枚ないし数十枚程度がまとめて漂白剤に漬けられ、漂白等された後、通常の洗浄（洗濯）が施される。対向部２０は、繰り返しての清浄に十分に耐えることから、喉エプロン１は利便性が高い。
【００２８】
第２取付け部材５２は、対向部２０の帯側端２２の両端（左端部２３、右端部２４）に対応して２か所配置される。つまり、取付け部材５０は、帯部１０に２か所、対向部２０に２か所が位置合わせして配置される。帯側端２２の両端に配置されるので、対向部２０は、帯部１０に対して安定した取付けが確保される。
スナップボタンは、小さい外力で着脱される。また、スナップボタンは、耐洗浄性を有する。したがって、取付け部材５０としては、嵌め込み式のスナップボタンが好ましい。なお、スナップボタンを例示したが、その他に面ファスナー等が利用される。また、その他の取付け部材であっても良い。
【００２９】
対向部２０は、左端部２３および右端部２４のそれぞれに沿って吸液布ＣＡを折り返して形成された２つの折り返しポケット部２６を有し、間隔維持部材２５は、折り返しポケット部２６のそれぞれに挿入されている。吸液布ＣＡの左端部２３と右端部２４には、それぞれに沿って折り返して形成された２つの折り返しポケット部２６が配置されているので、間隔維持部材２５は、対向部２０の左端部２３、右端部２４のそれぞれに容易に配置される。
１枚の吸液布ＣＡに対して２つの間隔維持部材２５を装着できる。折り返しポケット部２６は、帯部１０の側に開口２８を有するので、間隔維持部材２５の装着がしやすい。また、折り返しポケット部２６は、帯部１０から離れた側に底部２７を配置している。つまり、底部２７は、自由端２１の側（開口２８から離れた側）に配置される。間隔維持部材２５は、底部２７で保持されるので、対向部２０から外れにくい。
【００３０】
対向部２０の垂下方向ＤＶに沿って折り返された部分（左端部２３、右端部２４）の縁は、縫い合わせ糸２９（図５において、間隔維持部材２５より長い破線で記載されている。）によって吸液布ＣＡ（本体部分）に縫い付けられる。つまり、折り返しポケット部２６は、吸液布ＣＡの一部を用いて形成されることから、部品数が削減される。
間隔維持部材２５は、対向部２０の洗濯に際して取り外せるので、個別に洗浄されても良い。
折り返しポケット部２６は、被覆部４０と向き合う側に配置されている。つまり、吸液布ＣＡは、患者ＰＴの側とは逆の被覆部４０の側に折り返されている。折り返しポケット部２６は、被覆部４０（帯部１０）の側に配置されているので、対向部２０の気管切開孔ＴＣに対向する側の面の均等性を維持しやすい。つまり、患者ＰＴに対向する面の均質性を向上しやすい。
【００３１】
折り返しポケット部２６の変形例として、折り返しポケット部２６の開口２８を縫い合わせ糸２９によって閉じ、間隔維持部材２５を対向部２０に縫い込んでも良い。この場合、間隔維持部材２５は、折り返しポケット部２６に内包され、対向部２０と分離しないように一体とされる。
【００３２】
間隔維持部材２５は、吸液布ＣＡの変形を抑制する硬さの合成樹脂フィルムである。吸液布ＣＡの変形とは、例えば上記した自由端２１の帯側端２２への移動などである。間隔維持部材２５は、吸液布ＣＡの変形を抑制する硬さの合成樹脂フィルムであるので、対向部２０の広がった状態を維持して自由端２１の帯側端２２への移動を抑制しやすい。
合成樹脂フィルムは、例えば、熱可塑性樹脂（汎用プラスチック、エンジニアリング・プラスチック）である。熱可塑性樹脂は、例えば、ＰＥ（ポリエチレン）、ＰＰ（ポリプロピレン）、ＰＥＴ（ポリエチレンテレフタレート）、ＰＥＮ（ポリエチレンナフタレート）などである。
合成樹脂フィルムの硬さ、軽さ、薄さなどは、使用時に違和感が生じない形態が好ましい。間隔維持部材２５の厚さは、例えば、数十マイクロメートルないし数百マイクロメートル程度が適用される。また、合成樹脂フィルムの硬さは、対向部２０（吸液布ＣＡ）が変形する程度の外力では、形状の変化をほとんど生じない程度である。
【００３３】
[実施の形態２]
図６を参照して、本考案の実施の形態２に係る喉エプロン１ａ（対向部２０ａ、間隔維持部材２５ａ）について説明する。
対向部２０（実施の形態１）は、折り返しポケット部２６を有している。これに対し、対向部２０ａは、重ねポケット部２６ａを有する。
つまり、対向部２０ａ（喉エプロン１ａ、間隔維持部材２５ａ）は、実施の形態１（喉エプロン１、対向部２０、間隔維持部材２５）の変形例である。
対向部２０ａの基本的な構成は、対向部２０と同様であるので主に異なる事項について説明する。また、喉エプロン１ａのその他の構成は喉エプロン１と同様であるので重複する説明は適宜省略する。
【００３４】
図６は、本考案の実施の形態２に係る喉エプロン１ａに装着される対向部２０ａを拡大して帯部１０の側から見た状態を示す拡大図である。
図６に示すとおり、対向部２０ａは、吸液布ＣＡが２枚重ねられて左端部２３と右端部２４に沿ってそれぞれ形成された２つの重ねポケット部２６ａを有し、間隔維持部材２５ａは、重ねポケット部２６ａのそれぞれに挿入されている。
対向部２０ａは、２枚の吸液布ＣＡの間に形成された左右の２つの重ねポケット部２６ａを有するので、間隔維持部材２５ａは、左右の２つの重ねポケット部２６ａのそれぞれに装着される。したがって、間隔維持部材２５ａは、対向部２０ａの左右の両端に容易に装着される。間隔維持部材２５ａは、間隔維持部材２５と同様に作用するので、対向部２０ａは、対向部２０と同様の作用効果を奏する。
【００３５】
縫い合わせ糸２９ａ（間隔維持部材２５ａより長い破線で記載されている。）は、重ねられた吸液布ＣＡの２枚の両面にわたって縫い合わせされ、２枚の吸液布ＣＡは、相互に連結される。重ねポケット部２６ａは、縫い合わせ糸２９ａの位置が調整されて形成される。
左端部２３および右端部２４を除く部分の全体にわたって矩形状の縫い合わせ糸２９ａが形成される。したがって、重ねポケット部２６ａは、全体の広い面積の周囲にわたって形成された矩形状の縫い合わせ糸２９ａと左端部２３および右端部２４の両端に縁取りされた縫い合わせ糸２９ａとの間に縦長の矩形状に形成される。重ねポケット部２６ａは、自由端２１の側に底部２７ａを有し、帯側端２２の側に開口２８ａを有する。
【００３６】
[実施の形態３]
図７を参照して、本考案の実施の形態３に係る喉エプロン１ｂ（対向部２０ｂ、間隔維持部材２５ｂ）について説明する。
対向部２０（実施の形態１）は、折り返しポケット部２６を有し、対向部２０ａ（実施の形態２）は、重ねポケット部２６ａを有している。これに対し、対向部２０ｂは、吸液布ＣＡと同等の布を対向部２０ｂの下半分の両側に縫い合わせて間隔維持部材２５ｂとしている。
つまり、対向部２０ｂ（喉エプロン１ｂ、間隔維持部材２５ｂ）は、実施の形態１、実施の形態２（喉エプロン１、対向部２０、間隔維持部材２５、喉エプロン１ａ、対向部２０ａ、間隔維持部材２５ａ）の変形例である。
対向部２０ｂの基本的な構成は、対向部２０、対向部２０ａと同様であるので主に異なる事項について説明する。また、喉エプロン１ｂのその他の構成は、喉エプロン１と同様であるので重複する説明は適宜省略する。
【００３７】
図７は、本考案の実施の形態３に係る喉エプロン１ｂに装着される対向部２０ｂを拡大して帯部１０の側から見た状態を示す拡大図であり、（Ａ）は正面図、（Ｂ）は右側面図である。
図７に示すとおり、間隔維持部材２５ｂは、吸液布ＣＡと同等の布（対向部２０として適用できる部材）を二つ折りして垂下方向ＤＶにおける対向部２０ｂの下半部に向い合せて配置されている。間隔維持部材２５ｂは、対向部２０ｂの下半部に向い合せて配置されるので、対向部２０ｂが垂下方向ＤＶに安定し、自由端２１の帯側端２２に向かう移動を抑制しやすい。
【００３８】
間隔維持部材２５ｂは、吸液布ＣＡと同等の布が二つ折りされて、対向部２０ｂの下半分の両側に配置されている。二つ折りされた間隔維持部材２５ｂの縁に沿って縫い合わせ糸２９ｂ（自由端２１より長い破線で記載されている。）による縫い合わせが施される。つまり、間隔維持部材２５ｂは、対向部２０ｂの下半分に配置され、自由端２１の帯側端２２への移動を抑制する。
対向部２０ｂは、間隔維持部材２５ｂが吸液布ＣＡと同等の布で形成されることから、吸液容量が大きくなり、吸液性が向上する。
【００３９】
[実施の形態４]
図８を参照して、本考案の実施の形態４に係る喉エプロン１ｃ（対向部２０ｃ、間隔維持部材２５ｃ）について説明する。
対向部２０ｂ（実施の形態３）は、間隔維持部材２５ｂが自由端２１を覆って吸液布ＣＡの両側に配置された。これに対して、対向部２０ｃは、帯部１０に向かい合う面のみに間隔維持部材２５ｃを配置している。
つまり、対向部２０ｃ（喉エプロン１ｃ、間隔維持部材２５ｃ）は、実施の形態３（喉エプロン１ｂ、対向部２０ｂ）の変形例である。
対向部２０ｃの基本的な構成は、対向部２０、対向部２０ａ、対向部２０ｂと同様であるので主に異なる事項について説明する。また、喉エプロン１ｃのその他の構成は、喉エプロン１、喉エプロン１ｂと同様であるので重複する説明は適宜省略する。
【００４０】
図８は、本考案の実施の形態４に係る喉エプロン１ｃに装着される対向部２０ｃを拡大して帯部１０の側から見た状態を示す拡大図であり、（Ａ）は正面図、（Ｂ）は右側面図である。
図８に示すとおり、間隔維持部材２５ｃは、吸液布ＣＡと同等の布（対向部２０として適用できる部材）を二つ折りして垂下方向ＤＶにおける対向部２０ｃの下半部に向い合せて配置されている。間隔維持部材２５ｃは、対向部２０ｃの下半部に向い合せて配置されるので、対向部２０ｂが垂下方向ＤＶに安定し、自由端２１の帯側端２２に向かう移動を抑制しやすい。
【００４１】
間隔維持部材２５ｃは、吸液布ＣＡの帯部１０に向き合う面に二つ折りした間隔維持部材２５ｃが重畳して配置されている。二つ折りされた間隔維持部材２５ｃの縁に沿って縫い合わせ糸２９ｃによる縫い合わせが施される。間隔維持部材２５ｃは、二つ折りした状態で重ねられていることから、自由端２１の外周と間隔維持部材２５ｃの外周とが一致した状態となり、外周形状が単純化される。また、対向部２０ｃの気管切開孔ＴＣに対向する側の面の均等性が維持される。
本実施の形態では、間隔維持部材２５ｃは、帯部１０に対向する側にのみ配置された。しかし、間隔維持部材２５ｃは、帯部１０とは反対側の気管切開孔ＴＣに対向する側にのみ配置されても良い。
【００４２】
[実施の形態５]
図９から図１１までを参照して、本考案の実施の形態５に係る喉エプロン１ｄ（対向部２０ｄ、間隔維持部材２５ｄ）について説明する。
対向部２０、対向部２０ａ、対向部２０ｂ、対向部２０ｃ（実施の形態１〜実施の形態４）は、吸液布ＣＡを変形したもの、あるいは、吸液布ＣＡを追加したものである。これに対し、吸液布対向部２０ｄは、紐で形成された間隔維持部材２５ｄを有する。
つまり、対向部２０ｄ（喉エプロン１ｄ、間隔維持部材２５ｄ）は、実施の形態１ないし実施の形態４（喉エプロン１〜喉エプロン１ｃ、対向部２０〜対向部２０ｃ、間隔維持部材２５〜間隔維持部材２５ｃ）の変形例である。
対向部２０ｄの基本的な構成は、対向部２０、対向部２０ａ、対向部２０ｂ、対向部２０ｃと同様であるので主に異なる事項について説明する。また、喉エプロン１ｄのその他の構成は、喉エプロン１、喉エプロン１ａ、喉エプロン１ｂ、喉エプロン１ｃと同様であるので重複する説明は適宜省略する。
【００４３】
図９は、本考案の実施の形態５に係る喉エプロン１ｄの正面図である。
図１０は、図９に示した喉エプロン１ｄの背面図である。
図１１は、図１０に示した喉エプロン１ｄを患者ＰＴの首ＮＫに着用した背中の状態を示す説明図である。
図９から図１１までに示すとおり、間隔維持部材２５ｄは、自由端２１に接続された接続部３１と、接続部３１から延びる延長部３２、延長部３３を有する。間隔維持部材２５ｄは、使用時に延長部３２および延長部３３を適用して自由端２１を位置決めできるので、自由端２１の移動を抑制しやすい。延長部３２は、左端部２３の側から延長し、延長部３３は、右端部２４の側から延長する。延長部３２および延長部３３は、紐状である。
接続部３１は、全体が自由端２１に対向しても良く、自由端２１の左端部２３および右端部２４のそれぞれに分離して２つの接続部３１、接続部３１として連結されても良い。間隔維持部材２５ｄは、糸を編んだ紐、あるいは細く撚った布で形成されている。
【００４４】
接続部３１および延長部３２、延長部３３は、単一物として連続している。自由端２１に連結された接続部３１は、延長部３２、延長部３３と一体であるので、間隔維持部材２５ｄは、自由端２１（対向部２０ｄ）に対する連結強度が向上する。
接続部３１は、自由端２１に沿って配置されている。したがって、自由端２１の全体に連結させることができる。接続部３１は、自由端２１の全体にわたって縫い合わされて対向部２０ｄに対する連結強度が向上する。
２つの延長部３２および延長部３３はそれぞれ、患者ＰＴの胴体の周囲で互いに結合される長さを有する。２つの延長部３２および延長部３３は、患者ＰＴの胴体の周囲で互いに結合されるので、対向部２０ｄ（自由端２１）の移動を抑制しやすい。本実施の形態では、２つの延長部３２および延長部３３は、先端が例えば蝶結びで互いに結合される。
【００４５】
本実施の形態では、延長部３２および延長部３３の相互の結合についての理解のしやすさから、延長部３２と延長部３３が、患者ＰＴの背中で結合される状態が例示された。しかし、延長部３２および延長部３３は、患者ＰＴの背中で結合するような長さに限られない。
具体的には、延長部３２の長さと延長部３３の長さを全く異ならせて、例えば延長部３２を延長部３３より長くして患者ＰＴの胴体を一周させ、延長部３２の先端と延長部３３の先端とを胸元ＢＳの側で結合させる形態であっても良い。
【００４６】
延長部３２および延長部３３は、患者ＰＴの胴体の周囲で相互に結合される形態を図示した。しかし、延長部３２および延長部３３は、長さが短くされて、それぞれの先端に患者ＰＴの着衣ＷＲに係合する係合部３７（図示省略）を有する形態であっても良い。
具体的には、延長部３２および延長部３３のそれぞれの先端は、係合部３７（不図示）として例えば着衣ＷＲを挟むクリップを備える形態であっても良い。この場合、延長部３２および延長部３３の長さは、胸元ＢＳの側で係合部３７が着衣ＷＲに係合できる程度であれば良い。係合部３７（不図示。例えば着衣ＷＲを挟む形態のクリップ）とした場合は、本実施の形態の変形例（喉エプロン１ｆ（不図示）として、実施の形態７としても良い。不図示）である。延長部３２および延長部３３を短くすることから作成および取扱いが容易になる。また、係合部３７（不図示）は、胸元ＢＳの側で着衣ＷＲに係合されることから、患者ＰＴによる装着が容易になる。
【００４７】
[実施の形態６]
図１２から図１４までを参照して、本考案の実施の形態６に係る喉エプロン１ｅ（対向部２０ｅ、間隔維持部材２５ｅ）について説明する。
対向部２０ｄ（実施の形態５）は、紐状の間隔維持部材２５ｄを有する。これに対し、対向部２０ｅは、帯状の間隔維持部材２５ｅを有する。
つまり、対向部２０ｅ（喉エプロン１ｅ、間隔維持部材２５ｅ）は、実施の形態５（喉エプロン１ｄ、対向部２０ｄ、間隔維持部材２５ｄ）の変形例である。
対向部２０ｅの基本的な構成は、対向部２０、対向部２０ａ、対向部２０ｂ、対向部２０ｃ、対向部２０ｄと同様であるので主に異なる事項について説明する。また、喉エプロン１ｅのその他の構成は、喉エプロン１、喉エプロン１ａ、喉エプロン１ｂ、喉エプロン１ｃ、喉エプロン１ｄと同様であるので重複する説明は適宜省略する。
【００４８】
図１２は、本考案の実施の形態６に係る喉エプロン１ｅの正面図である。
図１３は、図１２に示した喉エプロン１ｅの背面図である。
図１４は、図１３に示した喉エプロン１ｅを患者ＰＴの首ＮＫに着用した背中の状態を示す説明図である。
図１２から図１４までに示すとおり、間隔維持部材２５ｅは、自由端２１に接続された接続部３１ａと、接続部３１ａから延びる延長部３２ａ、延長部３３ａを有する。間隔維持部材２５ｅは、使用時に延長部３２ａ、延長部３３ａを適用して自由端２１を位置決めできるので、自由端２１の移動を抑制しやすい。延長部３２ａは、左端部２３の側から延長し、延長部３３ａは、右端部２４の側から延長する。
【００４９】
接続部３１ａ、延長部３２ａ、延長部３３ａは、接続部３１、延長部３２、延長部３３（実施の形態５）に比べて幅広の帯状とされている。したがって、間隔維持部材２５ｅは、間隔維持部材２５ｄに比べて強度が向上する。
接続部３１ａは、全体が自由端２１に対向しても良く、自由端２１の左端部２３および右端部２４のそれぞれに分離して２つの接続部３１、接続部３１として連結されても良い。間隔維持部材２５ｅは、帯状の布で形成されている。
【００５０】
接続部３１ａおよび延長部３２ａ、延長部３３ａは、単一物として連続している。自由端２１に連結された接続部３１ａは、延長部３２ａ、延長部３３ａと一体であるので、間隔維持部材２５ｅは、自由端２１（対向部２０ｅ）に対する連結強度が向上する。
接続部３１ａは、自由端２１に沿って配置されている。したがって、自由端２１の全体に連結させることができる。接続部３１ａは、自由端２１の全体にわたって縫い合わされて対向部２０ｅに対する連結強度が向上する。
２つの延長部３２ａおよび延長部３３ａはそれぞれ、患者ＰＴの胴体の周囲で互いに結合される長さを有する。２つの延長部３２ａおよび延長部３３ａは、患者ＰＴの胴体の周囲で互いに結合されるので、対向部２０ｅ（自由端２１）の移動を抑制しやすい。また、延長部３２ａは、先端に固定部３５を有し、延長部３３ａは、先端に固定部３６を有する。
間隔維持部材２５ｅは、帯状であるので、固定部３５および固定部３６は、面ファスナーとされる。固定部３５と固定部３６とは、患者ＰＴの背中で相互に連結される。つまり、２つの延長部３２ａおよび延長部３３ａは、固定部３５および固定部３６によって互いに結合され、相互に固定される。
【００５１】
本実施の形態では、実施の形態５と同様に、延長部３２ａおよび延長部３３ａが、患者ＰＴの背中で結合される状態が図示された。しかし、延長部３２ａおよび延長部３３ａは、患者ＰＴの背中で結合するような長さに限られない。
具体的には、延長部３２ａの長さと延長部３３ａの長さを全く異ならせて、例えば延長部３２ａを延長部３３ａより長くして患者ＰＴの胴体を一周させ、延長部３２ａの先端の固定部３５と延長部３３ａの先端の固定部３６とを胸元ＢＳの側で結合させる形態であっても良い。
【産業上の利用可能性】
【００５２】
喉エプロン１〜喉エプロン１ｅは、気管切開孔ＴＣを有する患者ＰＴのために供給され、看護医療に利用される。
【符号の説明】
【００５３】
１、１ａ、１ｂ、１ｃ、１ｄ、１ｅ  喉エプロン
１０  帯部
１７  固定部
１８  固定部
２０、２０ａ、２０ｂ、２０ｃ、２０ｄ、２０ｅ  対向部
２１  自由端
２２  帯側端
２３  左端部
２４  右端部
２５、２５ａ、２５ｂ、２５ｃ、２５ｄ、２５ｅ  間隔維持部材
２６  折り返しポケット部
２６ａ  重ねポケット部
３１、３１ａ  接続部
３２、３２ａ、３３、３３ａ  延長部
４０  被覆部
４６  ギャザー
４７  ひだ
５０  取付け部材
５１  第１取付け部材
５２  第２取付け部材
ＢＳ  胸元
ＣＡ  吸液布
ＤＨ  横方向
ＤＶ  垂下方向
ＧＬ  縦間隔
ＮＫ  首
ＰＴ  患者
ＴＣ  気管切開孔
ＷＧ  ギャザー範囲
ＷＲ  着衣
【図１】
0003193730.tif 000003
【図２】
0003193730.tif 000004
【図３】
0003193730.tif 000005
【図４】
0003193730.tif 000006
【図５】
0003193730.tif 000007
【図６】
0003193730.tif 000008
【図７】
0003193730.tif 000009
【図８】
0003193730.tif 000010
【図９】
0003193730.tif 000011
【図１０】
0003193730.tif 000012
【図１１】
0003193730.tif 000013
【図１２】
0003193730.tif 000014
【図１３】
0003193730.tif 000015
【図１４】
0003193730.tif 000016
【図１５】
0003193730.tif 000017